(57)【要約】【課題】マトリクス状に配置した電子放出素子から放出された電子を蛍光体に照射する表示装置において、電源オン時などの装置動作が安定していない期間、電子放出の動作を確実に停止させ、よって蛍光体の劣化を未然に防止すること。【解決手段】タイミング発生回路１０８は、表示する走査線を選択するための走査線選択信号３００を生成する。走査信号検出回路１０９はこの走査線選択信号を検出する。検出の結果、各走査線を順次選択していない場合には、電子放出素子２０３からの電子の放出を停止させる。その際、電子放出素子を駆動する走査線２０４、またはデータ線２０５への電圧印加を停止する。【選択図】図１
2006163073.tif 000002
【特許請求の範囲】
【請求項１】
互いに直交するデータ線群および走査線群の各交点に電子放出素子をマトリクス状に配置し、各電子放出素子から放出された電子を対応する蛍光体に照射して画像を表示する画像表示装置において、
上記データ線群に対し、画像信号を所定の変調処理して生成した信号電圧を印加する変調回路と、
上記走査線群の中で、表示する走査線に対し所定の駆動電圧を順次印加する走査線駆動回路と、
上記各電子放出素子の動作を制御する制御回路とを備え、
該制御回路は、上記走査線駆動回路が上記各走査線に順次駆動電圧を印加していない場合には、上記電子放出素子からの電子の放出を停止させることを特徴とする画像表示装置。
【請求項２】
請求項１記載の画像表示装置において、
前記走査線駆動回路に対し、表示する走査線を選択するための走査線選択信号を生成して供給するタイミング発生回路と、
該タイミング発生回路から供給される該走査線選択信号を検出する走査信号検出回路を備え、
前記制御回路は、該走査信号検出回路の検出した走査線選択信号が前記各走査線を順次選択していない場合には、前記変調回路による前記各データ線への電圧印加を停止させることを特徴とする画像表示装置。
【請求項３】
請求項１記載の画像表示装置において、
前記走査線駆動回路に対し、表示する走査線を選択するための走査線選択信号を生成して供給するタイミング発生回路と、
該タイミング発生回路から供給される該走査線選択信号を検出する走査信号検出回路を備え、
前記制御回路は、該走査信号検出回路の検出した走査線選択信号が前記各走査線を順次選択していない場合には、前記走査線駆動回路による前記各走査線への電圧印加を停止させることを特徴とする画像表示装置。
【請求項４】
請求項２または３に記載の画像表示装置において、
前記走査信号検出回路は、前記走査線群の中から等間隔に選択した特定の複数の走査線に対する走査線選択信号を検出することを特徴とする画像表示装置。
【請求項５】
請求項４記載の画像表示装置において、
前記走査信号検出回路は、検出する走査線選択信号を積分し、積分電圧を予め設定したしきい値と比較することを特徴とする画像表示装置。
【請求項６】
互いに直交するデータ線群および走査線群の各交点に電子放出素子をマトリクス状に配置し、各電子放出素子から放出された電子を対応する蛍光体に照射して画像を表示する画像表示装置の表示制御方法において、
上記走査線群の中で表示する走査線を選択するための走査線選択信号を検出し、
該走査線選択信号が上記各走査線を順次選択しているかどうかを判定し、
順次選択していない場合には、上記電子放出素子からの電子の放出を停止させることを特徴とする画像表示装置の表示制御方法。
【請求項７】
互いに直交するデータ線群および走査線群の各交点に電子放出素子をマトリクス状に配置し、各電子放出素子から放出された電子を対応する蛍光体に照射して画像を表示する画像表示装置の表示制御方法において、
上記走査線群の中で表示する走査線を選択するための走査線選択信号を検出し、
該走査線選択信号が上記各走査線を正常に選択している定常状態かどうかを判定し、
定常状態でない場合には、上記電子放出素子からの電子の放出を停止させることを特徴とする画像表示装置の表示制御方法。
【発明の詳細な説明】
【技術分野】
【０００１】
本発明は、複数の電子放出素子をマトリクス状に配置し、該素子から放出された電子を蛍光体に照射して画像を表示する画像表示装置およびその表示制御方法に関する。
【背景技術】
【０００２】
近年、明るくてコントラストの高い画面を大型平面ディスプレイで実現する表示装置として、電界放出ディスプレイ（以下、ＦＥＤ＝Ｆｉｅｌｄ  Ｅｍｉｓｓｉｏｎ  Ｄｉｓｐｌａｙと呼ぶ）が注目されている。ＦＥＤは、微小で集積可能であり加熱不要な冷陰極の電子放出素子を平面状に配置した電子放出源から電子を放出し、対向する蛍光体に照射して発光させるものである。電子放出素子は、電界放出型、表面伝導型、金属―絶縁層―金属型（ＭＩＭ型）など各種の構造が提案されている（例えば、特許文献１参照）。
【０００３】
各電子放出素子は、画面水平方向の複数の行電極（走査線）と画面垂直方向の複数の列電極（データ線）との交点にマトリクス状に配置される。各データ線には画像信号を印加し、各走査線には選択走査用の信号を順次印加して、交点の電子放出素子から電子を放出させ、１フレーム（もしくは１フィールド）の画像を表示させる。
【０００４】
ＦＥＤにおける冷陰極電子源は加熱する必要がないため、電源オン時には、直ちに電子放出が可能となる。一方、電源オン直後の期間は表示パネルを駆動する駆動回路の動作が不安定なため、不快な表示状態が生じ、蛍光体の特性や表示パネルの性能に影響を及ぼす恐れがある。そこで特許文献２では、電源オン時に、表示パネルへの走査信号の出力を所定時間停止する技術が提案されている。
【０００５】
またこれに関連した技術として、特許文献３には、ＦＥＤではないが速動型電子源を搭載した画像表示装置において、電源オン時のスポット残りを防止するため、電子ビームの水平、垂直偏向回路が定常動作状態になるまで、電子源の動作開始を遅延させることが開示されている。
【０００６】
【特許文献１】特開平８−２４８９２１号公報
【特許文献２】国際公開第００／２１０６３号パンフレット
【特許文献３】特開平１０−１４５７０５号公報
【発明の開示】
【発明が解決しようとする課題】
【０００７】
冷陰極電子源を用いたＦＥＤにおいては、走査線（ライン）単位で発光が行われている。電源立ち上げの時や回路動作が不安定な時など、走査線の選択動作が正常に行われない場合（非定常動作状態）には、特定の１本のラインのみから電子線が放出され続けることになる。ＦＥＤでは従来のＣＲＴに比べて電子線の電流密度が高いので、これを長時間継続すると、そのライン上の蛍光体がすべて劣化し、寿命を悪化させる恐れがある。このようにＦＥＤでは、蛍光体の劣化がライン状に生じることからスポット状劣化に比べて非常に目立ちやすく、ユーザに不快感を与えるものとなる。
【０００８】
上記特許文献２では、電源オン後、走査回路の動作が安定になるまでの一定の遅延時間を設け、その遅延時間経過後に、走査回路から表示パネルへ走査信号を出力するようにしている。しかしこの方法では、走査回路の動作が正常に立ち上がったことを直接確認していない。回路のバラツキや装置の使用状況によっては、まだ動作が安定していない時点で走査信号が供給される可能性もある。よって、制御精度や信頼性の面で十分とは言い難い。
【０００９】
上記特許文献３では、画面上のスポット残りを対象とするもので、電子ビームの水平、垂直偏向回路の状態で判断している。しかしこの手法は、ＦＥＤのようなライン単位で発光する表示装置にはそのまま適用できない。
【００１０】
本発明の目的は、電源オン時などの装置動作が安定していない期間、電子放出の動作を確実に停止させ、よって蛍光体の劣化を未然に防止する画像表示装置およびその表示制御方法を提供することにある。
【課題を解決するための手段】
【００１１】
本発明では、互いに直交するデータ線群および走査線群の各交点に電子放出素子をマトリクス状に配置し、各電子放出素子から放出された電子を対応する蛍光体に照射して画像を表示する画像表示装置において、上記データ線群に対し、画像信号を所定の変調処理して生成した信号電圧を印加する変調回路と、上記走査線群の中で、表示する走査線に対し所定の駆動電圧を順次印加する走査線駆動回路と、上記各電子放出素子の動作を制御する制御回路とを備え、該制御回路は、上記走査線駆動回路が上記各走査線に順次駆動電圧を印加していない場合には、上記電子放出素子からの電子の放出を停止させる構成とする。
【００１２】
さらに、前記走査線駆動回路に対し、表示する走査線を選択するための走査線選択信号を生成して供給するタイミング発生回路と、該タイミング発生回路から供給される該走査線選択信号を検出する走査信号検出回路を備え、前記制御回路は、該走査信号検出回路の検出した走査線選択信号が前記各走査線を順次選択していない場合には、前記変調回路による前記各データ線への電圧印加を停止させる。あるいは前記制御回路は、該走査信号検出回路の検出した走査線選択信号が前記各走査線を順次選択していない場合には、前記走査線駆動回路による前記各走査線への電圧印加を停止させる。
【００１３】
また本発明は、互いに直交するデータ線群および走査線群の各交点に電子放出素子をマトリクス状に配置し、各電子放出素子から放出された電子を対応する蛍光体に照射して画像を表示する画像表示装置の表示制御方法において、上記走査線群の中で表示する走査線を選択するための走査線選択信号を検出し、該走査線選択信号が上記各走査線を順次選択しているかどうかを判定し、順次選択していない場合には、上記電子放出素子からの電子の放出を停止させる。
【発明の効果】
【００１４】
本発明により、特定ラインの蛍光体の劣化を未然に防止し、画面の見苦しさを解消する画像表示装置およびその表示制御方法を提供できる。
【発明を実施するための最良の形態】
【００１５】
以下、本発明の最良の形態について図面を用いて具体的に説明する。
【実施例１】
【００１６】
本発明による画像表示装置の一実施例について、図１〜図５により説明する。なお、ここでは冷陰極電子源がＭＩＭ型電子源の場合について説明するが、本発明はこれに限定されず、各種構造の電子放出素子を用いることができる。
【００１７】
図１は本発明による画像表示装置の一実施例を示すブロック構成図、図２はその中のＦＥＤパネルの構造を示す図である。
【００１８】
ＦＥＤパネル１０６は、パッシブマトリクス方式であり、背面基板２０６上の行方向に複数（Ｎ本）の走査線２０４（Ｘ１，Ｘ２，・・・，ＸＮ）と、列方向に複数（Ｍ本）のデータ線２０５（Ｙ１，Ｙ２，Ｙ３，・・・，ＹＭ）が直交配置され、その交点に画素となる冷陰極の電子放出素子２０３がマトリクス状にＭ×Ｎ個形成されて電子源を構成している。走査線２０４には走査手段である走査線駆動回路１０７が、データ線２０５には変調回路１０５が接続されている。ＦＥＤパネル１０６の水平画素数は、例えば１２８０×３（＝Ｍ）、垂直画素数は例えば７２０（＝Ｎ）である。ＦＥＤパネル１０６のアノード端子（図示せず）には、高圧制御・高圧発生を行う高圧発生回路１１１が接続され、高圧発生回路１１１にはその高圧電流を検出する電流検出回路１１２が接続されている。電流検出回路１１２の検出電流は、ＣＰＵ（以下、マイコンと称する）１１３に入力されている。背面基板２０６に所定間隔をおいて対向配置された透光性の前面基板（図示せず）上には、各電子放出素子２０３に対応して、蛍光体（図示せず）が形成されている。
【００１９】
画像表示装置に入力された入力信号１０１のうち、映像に関わる信号については、映像信号処理回路１０２により所定の映像処理をした後、マトリクス回路１０３によりＲＧＢ信号に変換し、データ保持回路１０４へ送る。データ保持回路１０４は、ＲＧＢ信号から、ＦＥＤパネル１０６の１ライン分のデータを１水平走査期間だけ保持し、１水平走査周期毎にデータを書き換える。変調回路１０５は、データ保持回路１０４からの出力を輝度変調（例えばＰＡＭ）した後、１水平走査期間だけＦＥＤパネル１０６のデータ線２０５へ画像信号電圧として供給する。なお、変調方式はパルス幅変調（ＰＷＭ）でも良い。
【００２０】
一方、入力信号１０１のうち同期信号部分については、映像信号処理回路１０２により同期信号（垂直同期信号、水平同期信号）部分を抽出し、タイミング発生回路１０８へ送る。タイミング発生回路１０８は、入力された同期信号を基に、ＦＥＤパネル１０６の走査線２０４のうち表示すべき走査線を順次選択するための走査線選択信号を生成する。走査線選択信号は、１垂直走査期間でＦＥＤパネル１０６の上端の走査線２０４（Ｘ１）から下端の走査線２０４（ＸＮ）までを、１ラインずつ順次選択（垂直走査）する信号である。生成した走査線選択信号は、走査線駆動回路１０７へ送られる。走査線駆動回路１０７は走査線選択信号に基づいて、選択された走査線２０４に対し所定の電圧（例えば選択時は５Ｖ、非選択時は０Ｖ）を印加する。選択された走査線上の各電子放出素子２０３は、前記変調回路１０５から各データ線２０５を介して供給される画像信号電圧に応じて、電子線を放出する。
【００２１】
ＦＥＤパネル１０６のアノード端子（図示せず）には高圧発生回路１１１から数ｋＶの電圧が加えられているため、電子線は加速されて、前面基板上に形成された蛍光体に照射される。そして、蛍光体を励起し可視光を発光することにより、１水平ラインの画像が表示される。走査線選択信号により走査線駆動回路１０７は、ＦＥＤパネル内の走査線を順次駆動し、１フレーム（または１フィールド）の画像が表示される。
【００２２】
本実施例では、走査信号検出回路１０９を設け、タイミング発生回路１０８から供給される走査線選択信号を検出する。そして、走査線選択信号が各走査線を正常に選択している（定常状態）かどうかを判定する。定常状態でなければ、その情報をマイコン１１３に出力する。定常状態でない場合には、マイコン１１３は制御回路１０に対し、電子源からの電子の放出を停止させるよう制御する。例えば、変調回路１０５からデータ線への信号電圧が印加されないように制御する。
【００２３】
ところで、ＦＥＤパネル１０６に表示する画像が明るい場合は高圧発生回路１１１からの負荷電流が多く、画像が暗い場合は負荷電流が少なくなる。一方発光特性を安定化させるため、高圧発生回路１１１の電圧値は、負荷電流の変化に関わらず、一定に保つように制御する必要がある。そこで、高圧発生回路１１１の負荷電流が過大とならないよう、電流検出回路１１２により平均負荷電流の検出を行う。電流検出回路１１２は所定値以上の負荷電流を検出した場合には、電流制限情報をマイコン１１３に送る。マイコン１１３は、制御回路１１０により変調回路１０５の出力をゼロ（または所定値以下）にするように制御する。このようにして、高圧発生回路１１１の平均負荷電流が過大にならないよう制御して、高圧発生回路１１１の電圧値を一定に保っている。
【００２４】
図３は、本実施例におけるタイミング発生回路１０８の一実施例を示す図である。タイミング発生回路１０８は、リングカウンタで構成され、水平走査周期のクロックを入力とし、各走査線２０４（Ｘ１，Ｘ２，・・・，ＸＮ）に対応する数の走査線選択信号３００（Ａ１、Ａ２、Ａ３〜ＡＮ）を走査線駆動回路１０７へ供給する。
【００２５】
図４は、タイミング発生回路１０８の生成する走査線選択信号３００の波形の一例を示す図である。各走査線２０４が順次選択されるよう、走査線選択信号３００（Ａ１、Ａ２、Ａ３〜ＡＮ）を、１垂直走査期間毎に繰り返して供給する。クロックが途切れない限り、常にいずれか１本の走査線を選択することができる。
【００２６】
本実施例では、上記走査線選択信号３００を検出して、走査動作が正常であるかどうかを判定する。すなわち、走査線選択信号３００が順次供給されなければ、走査線駆動回路１０７が各走査線２０４を正常に駆動できないことになる。走査線選択信号３００が順次供給されていない場合、そのことを示す「非走査情報」をマイコン１１３に出力する。マイコン１１３は「非走査情報」を受け取ると、制御回路１１０に対して、変調回路１０５からデータ線２０５への信号電圧が印加されないように制御する。その結果、電子放出素子２０３からの電子放出は停止し、よって蛍光体への照射も停止する。走査線選択信号が順次供給されていれば、走査線駆動回路１０７は正常に動作していると判定し、変調回路１０５からデータ線２０５へ所定の信号電圧を印加する。
【００２７】
図５は、走査信号検出回路１０９の一実施例を示す図である。端子５０１は、タイミング発生回路１０８からの走査線選択信号３００を入力する端子、５０２はトランジスタ、５０３はコンデンサ、端子５０４は出力信号の端子である。好ましくは、入力端子５０１には、タイミング発生回路１０８からの走査線選択信号３００（Ａ１〜ＡＮ）のうちから選択した特定の複数の走査線選択信号、特に、等間隔に配置される複数の走査線選択信号（例えば、Ａ１２０，Ａ２４０，Ａ３６０，Ａ４８０，Ａ６００，Ａ７２０の６本）をＯＲ接続（図示せず）して、１つの信号列として入力するのが良い。
【００２８】
入力された走査線選択信号が連続的に発生しているときには、トランジスタ５０２を通過して、一定の電荷がコンデンサ５０３を充電するので、出力端子５０４には積分した電圧Ｖｓが出力される。しかし、走査線選択信号が入力されない時（走査が停止している時）にはコンデンサ５０３は充電されず、出力端子５０４の電圧Ｖｓは低下する。従って、マイコン１１３は、この出力電圧Ｖｓを予め設定したしきい値電圧Ｖｔｈと比較することにより、走査線選択信号が正常か否かを判定可能である。このようにして、走査線駆動回路１０７が各走査線２０４を正常に駆動していないことを検出できる。
【００２９】
なお本実施例では、特定の複数の走査線選択信号を入力しているが、これは、１本の走査線選択信号だけでは、走査線が順次選択されているかどうかの判定に誤りが生じる恐れがあるからである。また、全ての走査線でなく、一部の走査線選択信号を入力するのは、コンデンサ５０３に蓄積される電荷による出力電圧Ｖｓの上昇を遅くするためである。その結果、電源オン時の走査動作の判定を遅らせ、蛍光体劣化防止の観点からより安全サイドに働くからである。
【００３０】
また、等間隔の走査線選択信号を用いたのは、ＯＲ接続後の信号列の間隔をほぼ等しくするためである。これにより、出力電圧Ｖｓの変動を低減することができる。異常時の検出を早めるためにはコンデンサ５０３の容量は小さくすると良いが、その場合、出力電圧の変動が生じやすい。等間隔の走査線選択信号を用いることで、その対策として有効である。
【００３１】
なお、図５の走査信号検出回路１０９では、複数の走査線選択信号をＯＲ接続して１つの信号列として入力する構成としたが、これに限らず、各走査線選択信号に対し個別に検出する検出回路を設け、その回路を複数個設ける構成も可能である。
【００３２】
走査信号検出回路１０９の検出結果、タイミング発生回路１０８から走査線駆動回路１０７に正常な走査線選択信号が供給されてないと判断した場合、マイコン１１３は、制御回路１１０を制御し、変調回路１０５の信号出力を停止する。そうすると、ＦＥＤパネル１０６のデータ線には、信号電圧が印加されず（あるいは、すべてのデータがゼロを意味する電圧を印加）、ＦＥＤパネル１０６の電子源からの電子放出がなくなる。
【００３３】
変調回路１０５の出力を停止する具体的方法としては、例えば変調回路１０５に内蔵されているＤＡ変換器（図示せず）の変換利得を制御する端子を外部に設け、その端子を制御する。信号電圧（データ）をゼロに抑えることにより、ＦＥＤパネル１０６の各電子放出素子からの電子放出はなくなる。他の方法としては、例えば変調回路１０５に供給している電源を他の回路と分離し、変調回路の電源をオフにする方法も可能である。この場合、変調回路の電源をオフにすると、変調回路の出力もゼロになるのでＦＥＤパネル１０６の各電子放出素子からの電子放出はなくなる。
【００３４】
次に図６は、本発明による表示制御方法の一実施例を示すフローチャート図である。
【００３５】
ステップＳ６０１にて、画像表示装置の電源スイッチをオンする、またはリモコンによる電源立ち上げを行う。装置の電源スイッチを押した時には、図１の電源ＯＮ信号１１４が発生し、マイコン１１３へ送られる。また、リモコンによる電源立ち上げを行ったときには、立ち上げ信号１１５が発生し、マイコン１１３へ送られる。ステップＳ６０２では、マイコン１１３は、電源ＯＮ信号１１４や立ち上げ信号１１５の入力があると、図示しない電源回路をオンさせ、ＲＯＭに格納されているプログラムを起動させ、所定の処理を行う。ステップＳ６０３では、図５の走査信号検出回路１０９にて、タイミング発生回路１０８の生成する走査線選択信号の検出を行う。
【００３６】
ステップＳ６０４では、走査線選択信号の検出結果から走査線選択動作が正常か否かを判定する。電源オン直後では装置全体が非定常動作状態にあり、タイミング発生回路１０８も非定常動作状態なので、走査線選択信号が生成されておらず、走査信号検出回路１０９の出力電圧はＬｏｗレベルである。よってタイミング発生回路１０８から走査線駆動回路１０７には正常な走査線選択信号が供給されてないと判断する。
【００３７】
走査動作が正常でないと判定したときは、ステップＳ６０５にて、マイコン１１３は制御回路１１０を制御し、変調回路１０５の出力を停止する。そして、ＦＥＤパネル１０６の電子源からの電子放出を停止させる。
【００３８】
さらにステップＳ６０４で走査動作を判定し、時間が経過しタイミング発生回路１０８の動作が定常状態（正常）になった場合、ステップＳ６０６に移行する。ここでは、マイコン１１３は制御回路１１０を制御し、変調回路１０５の出力を開始する。そして、ＦＥＤパネル１０６の電子源からの電子放出を開始させる。
【００３９】
なお走査線駆動回路１０７は、その出力電圧が例えば選択時５Ｖ、非選択時０Ｖなので、その電源電圧は高々１０Ｖ前後であり、これに近い電源電圧のタイミング発生回路１０８とほぼ同時に立ち上がる。よって、走査信号検出回路１０９の出力電圧がＨｉｇｈレベルとなる時点では、走査線駆動回路１０７も動作可能である。
【００４０】
また、電源オン時だけでなく、画像表示を開始した後の動作途中にタイミング発生回路１０８において異常が発生することがある。つまり、電源の一時遮断など何らかの原因により、タイミング発生回路１０８から走査線駆動回路１０７への正常な走査線選択信号の供給がなされない場合にも、本実施例は適用できる。この場合にも、走査信号検出回路１０９の出力がＬｏｗレベルとなるので、マイコン１１３は走査が正常でないと判定し、制御回路１１０を制御して、変調回路１０５の出力を停止する。
【００４１】
以上述べたように、本実施例によれば、タイミング発生回路１０８の動作状態（すなわち走査線駆動回路１０７の動作状態）を、走査線選択信号の有無またはその積分電圧で検出し判定するので、その動作状態を正確に把握でき、確実に電子源の動作を停止させることができる。従って、特定ラインのみの蛍光体部分が電子線照射を受けることがなく、蛍光体の劣化を防止することができる。また、特定の走査線における蛍光体の劣化がなくなるので、画面の見苦しさも解消する。
【実施例２】
【００４２】
図７は本発明による画像表示装置の他の実施例を示すブロック構成図である。先の実施例１を示す図１と共通の要素には同一符号を付して示し、共通な要素の説明は省略する。
【００４３】
実施例１では、タイミング発生回路１０８から走査線駆動回路１０７に出力される走査線選択信号を走査信号検出回路１０９で検出し、異常時には、制御回路１１０により変調回路１０５からＦＥＤパネル１０６へ画像データ信号が出力されないようにして、電子源の動作を停止するようにした。
【００４４】
これに対し本実施例２では、異常時には、制御回路１１０により走査線駆動回路１０７からＦＥＤパネル１０６へ走査線駆動信号が出力されないようにして、電子源の動作を停止するようにする。すなわち、走査信号検出回路１０９にて、タイミング発生回路１０８の生成する走査線選択信号の検出を行う。検出結果から走査線選択動作が正常か否かを判定する。走査動作が正常でないと判定したときは、マイコン１１３は制御回路１１０を制御し、走査線駆動回路１０７の出力を停止する。そして、ＦＥＤパネル１０６の電子源からの電子放出を停止させる。これは、電子放出素子２０３からの電子の放出量がゼロとなるように、走査線駆動回路１０７の駆動電圧を制御する（つまり全走査線を非選択状態にする）ことにより実現する。走査動作が正常になった場合、マイコン１１３は制御回路１１０を制御し、走査線駆動回路１０７の出力を開始する。
【００４５】
以上の制御は、電源オン時だけでなく、画像表示を開始した後の動作途中にタイミング発生回路１０８において異常が発生した場合にも、同様に適用できる。
【００４６】
また、走査線駆動回路１０７の出力を停止する他の方法は、走査線駆動回路１０７に供給している電源を他の回路と分離し、走査線駆動回路の電源をオフにする方法も可能である。この場合、走査線駆動回路の電源をオフにすると、走査線駆動回路の出力がゼロになるのでＦＥＤパネル１０６の各電子放出素子からの電子放出はなくなる。
【００４７】
なお上記と関連し、高圧発生回路１１１の高圧値を一定に保つ制御について述べる。電流検出回路１１２は一定値以上の高圧電流が流れた場合には、電流制御情報をマイコン１１３に送り、マイコン１１３は、制御回路１１０により、電子放出素子からの電子の放出量を下げるように走査線駆動回路１０７の駆動電圧を制御する。
【００４８】
上記実施例以外の実施例として、走査動作が正常でないと判定したときに、高圧発生回路１１１の出力を停止することでも良い。ＦＥＤパネル１０６のアノード端子（図示せず）には高圧発生回路１１１から数ｋＶの電圧が加えられているが、この電圧印加を停止して、電子線が前面基板上に形成された蛍光体に照射するのを停止させる。これにより、特定ラインの蛍光体の劣化を防止することができる。
【００４９】
以上述べた各実施例では、タイミング発生回路１０８による走査線の選択動作状態を検出し、走査動作が正常でない場合、電子源の動作（蛍光体への照射）を停止するようにした。本発明はこれに限らず、走査線駆動回路１０７が各走査線に駆動電圧を順次印加しているかどうかを検出し、走査動作が正常でない場合、電子源の動作を停止するようにしても良い。その場合の動作検出は、上記実施例の場合と類似の方法で可能である。
【００５０】
さらに、正常動作に復帰した後、例えばマイコンで所定時間をカウントし、その時間だけ遅延させて電子源の動作を開始するような制御を付加しても良い。
【図面の簡単な説明】
【００５１】
【図１】本発明による画像表示装置の一実施例を示すブロック構成図。
【図２】ＦＥＤパネルの構成を示す模式図。
【図３】タイミング発生回路の一実施例を示す図。
【図４】タイミング発生回路の生成する走査線選択信号の一例を示す図。
【図５】走査信号検出回路の一実施例を示す図。
【図６】本発明による表示制御方法の一実施例を示すフローチャート図。
【図７】本発明による画像表示装置の他の実施例を示すブロック構成図。
【符号の説明】
【００５２】
１０２…映像信号処理回路、１０３…マトリクス回路、１０４…データ保持回路、１０５…変調回路、１０６…ＦＥＤパネル、１０７…走査線駆動回路、１０８…タイミング発生回路、１０９…走査信号検出回路、１１０…制御回路、１１１…高圧発生回路、１１２…電流検出回路、１１３…マイコン、２０３…電子放出素子、２０４…走査線、２０５…データ線、２０６…背面基板、３００…走査線選択信号。
【図１】
2006163073.tif 000003
【図２】
2006163073.tif 000004
【図３】
2006163073.tif 000005
【図４】
2006163073.tif 000006
【図５】
2006163073.tif 000007
【図６】
2006163073.tif 000008
【図７】
2006163073.tif 000009